(57)【要約】【課題】  光コネクタのぐらつきを無くする光トランシーバ及び光トランシーバ保持機構を提供する。【解決手段】  光コネクタ１０１を挿入するための光コネクタ挿入穴２０２を有し、その光コネクタ挿入穴２０２内に光コネクタ１０１の先端の光入出射部１０２と光結合する光結合部２０３を設けた光トランシーバ２０１において、光コネクタ挿入穴２０２の入り口２０４から光結合部２０３までの長さを光コネクタ１０１の全長以上に長く形成したので、光コネクタ１０１が光トランシーバ２０１からはみ出さない。【選択図】  図１
2006047919.tif 000002
【特許請求の範囲】
【請求項１】
光コネクタを挿入するための光コネクタ挿入穴を有し、その光コネクタ挿入穴内に前記光コネクタの先端の光入出射部と光結合する光結合部を設けた光トランシーバにおいて、前記光コネクタ挿入穴の入り口から前記光結合部までの長さを前記光コネクタの全長以上に長く形成したことを特徴とする光トランシーバ。
【請求項２】
前記光コネクタ挿入穴に並行させてガイド穴を形成し、このガイド穴に案内されてこのガイド穴から引き出し／収納可能な引き出し部材を設け、この引き出し部材に前記光コネクタの少なくとも一部に係合する係合部を形成し、前記ガイド穴内へ案内されていく前記引き出し部材に随伴して前記光コネクタが前記光コネクタ挿入穴内へ挿入されるようにしたことを特徴とする請求項１記載の光トランシーバ。
【請求項３】
前記光コネクタには、前記引き出し部材へ向かって隆起し前記光コネクタの後端方向に臨む受圧面を有する隆起部を形成し、前記引き出し部材には、前記係合部として前記受圧面に対向する係合面を形成したことを特徴とする請求項２記載の光トランシーバ。
【請求項４】
前記隆起部を隆起の高さの方向に弾性を有する部材で構成すると共にこの隆起部に側方へ拡幅された肩部を形成し、前記光コネクタ挿入穴には、前記肩部に干渉して前記隆起部を隆起の高さが低くなる方向に変形させる圧縮壁を設けると共にこの圧縮壁の一部に前記肩部を解放して前記隆起部の変形を復元させる壁穴を形成し、前記引き出し部材には、前記隆起部に対して前記光コネクタの前端側から傾斜して臨み、前記引き出し部材が引き出されるときに前記隆起部を隆起の高さが低くなる方向に変形させる傾斜押圧面を形成したことを特徴とする請求項３記載の光トランシーバ。
【請求項５】
前記引き出し部材を前記ガイド穴から抜き取り可能に構成したことを特徴とする請求項２〜４いずれか記載の光トランシーバ。
【請求項６】
通信機器に窓を設け、前記通信機器内には前記窓から差し込まれた光トランシーバを収容するためのケージを設け、前記光トランシーバには光コネクタを挿入するようにした光トランシーバ保持機構において、前記ケージの奥行きを前記光トランシーバの先端から前記光コネクタの基端部までの距離よりも所定値以上に長く形成したことを特徴とするトランシーバ保持機構。
【請求項７】
前記ケージに並行させてガイドを設け、このガイドに沿って前記窓の内外へ引き出し／収納可能なケージ内引き出し部材を設け、前記光コネクタに前記光トランシーバより前記ガイドに向けて隆起し前記光コネクタの後端方向に臨む受圧面を有する隆起部を形成し、前記ケージ内引き出し部材には前記受圧面に対向する係合面を形成し、予め前記光トランシーバに挿入された前記光コネクタを前記引き出し部材で前記ケージ内に押し込むことにより、前記光トランシーバが前記ケージの奥まで案内されるようにしたことを特徴とする請求項６記載のトランシーバ保持機構。
【請求項８】
前記ケージには前記光トランシーバが前記ケージの奥まで挿入されたとき前記光トランシーバをラッチする機構を設けると共に、前記光トランシーバの基端部には、該ラッチ機構を解除するためのボタンを設け、前記ケージの入口の外からデラッチ用レバーで前記ボタンを操作するようにしたことを特徴とする請求項６又は７記載のトランシーバ保持機構。
【発明の詳細な説明】
【技術分野】
【０００１】
本発明は、光通信を行う通信機器に光学系をマウントする機構に係り、光コネクタのぐらつきを無くする光トランシーバ及び光トランシーバ保持機構に関する。
【背景技術】
【０００２】
光通信を行う通信機器には、外部との通信路である光ファイバに接続して光通信を担当する光トランシーバが組み込まれる。光トランシーバは、通信機器の内部に固定的に組み込まれるのではなく、通信機器に窓を設け、この窓に光トランシーバを差し込んで使用するようになっている。これにより、光トランシーバの故障や多様な通信仕様に対応して適宜、光トランシーバを交換することができる。
【０００３】
図７（ａ）、図７（ｂ）に示されるように、光トランシーバ３０１を収容するためのケージ５０１と呼ばれる片側開口容器を設け、そのケージ５０１の奥部に電気的接続用の接続端子（図では見えないが矢印５０２で示すあたり）を設ける。光トランシーバ３０１は、光送受信に必要な光素子や電子回路をほぼ直方体状のトランシーバ本体に収容し、このトランシーバ本体の一端に電気的接続用の接続端子（挿入側）を設ける。光トランシーバ３０１を窓からケージ５０１内に差し込めば接続端子同士が電気的に接続されて通信機器とトランシーバ３０１とが互いに情報伝送可能になる。
【０００４】
一方、通信路である光ファイバ６０１は、光トランシーバ３０１に固定的に繋がっているのではなく、光トランシーバ３０１に光コネクタ挿入穴３０２を設け、光ファイバ６０１の一端に取り付けられた光コネクタ１０１を光コネクタ挿入穴３０２に差し込んで使用するようになっている。光トランシーバ３０１を通信機器に差し込んだ状態で光コネクタ１０１が光トランシーバ３０１に差し込めるように、光コネクタ挿入穴３０２の入り口３０４は電気的接続用の接続端子とは反対端に設けられる。なお、図示した光トランシーバ３０１は、送信用と受信用の２本の光ファイバ６０１を接続するべく、２つの光コネクタ挿入穴３０２を並べて設けたもので、それぞれの光コネクタ挿入穴３０２に光コネクタ１０１を挿入するようになっている。
【０００５】
図８に示されるように、光コネクタ１０１は適宜な長さを有する円筒状又は角筒状に形成され、図示しないが内部に光ファイバ端、レンズ等を有し、この光コネクタ１０１の先端が光入出射部１０２となっている。光軸は光コネクタ１０１に向いている。光トランシーバ３０１の光コネクタ挿入穴３０２は光コネクタ１０１の全長Ｌよりも短い奥行きを有する。ここで、奥行きとは光コネクタ挿入穴３０２の入り口３０４から光結合部３０３までの長さｌｃを言う。光結合部３０３には図示していないがレンズ、発光素子、受光素子が設けられており、光結合部３０３と光入出射部１０２の光軸が一致させてある。
【０００６】
【特許文献１】特開２００１−９１７９５号公報
【発明の開示】
【発明が解決しようとする課題】
【０００７】
従来の技術では、光コネクタ挿入穴の奥行きは、光コネクタの全長Ｌよりも短い。このため、図８に示されるように、光コネクタ１０１の基端部側の部分が光トランシーバ３０１から外へ突き出している。また、光トランシーバ３０１を収容するケージ５０１（図７参照）の奥行き（ケージ入り口５０３から接続端子接続位置５０２まで）もまた光トランシーバ３０１の全長Ｌよりも短くなっていて、通信機器の表面より光トランシーバ３０１の一部が出ている状態で光トランシーバ３０１がケージ５０１に保持される。
【０００８】
図９に示されるように、光トランシーバ３０１から外へ突き出している光コネクタ１０１の部分に、力Ｆ１〜Ｆ４のいずれかの力が加わると、光トランシーバ３０１内部では光コネクタ１０１の先端部に力Ｆ５又はＦ６が生じる。力Ｆ５又はＦ６は、光コネクタの不特定部分を支点とした梃子の力であるから、力Ｆ１〜Ｆ４の大きさが微弱であっても、力Ｆ５又はＦ６の大きさは大きくなり、光コネクタ１０１や光トランシーバ３０１の損傷の要因となる。また、力Ｆ１〜Ｆ４によって光コネクタ１０１の基端部側に生じる上下方向のストロークが先端部においても上下逆方向（場合によっては同方向）のストロークを生じさせる。光コネクタ１０１の先端部には光入出射部があって光トランシーバ内の光結合部との光結合が図られているため、僅かのストロークでもズレが起きると光結合が弱まって通信に悪影響が及ぶことが懸念される。なお、力Ｆ１〜Ｆ４は光コネクタ１０１や光ファイバ６０１の自重によっても生じ、また、オペレータが取り扱い中に余計な力を入れてしまったり物がぶつかったりする不慮の事故によっても生じる。また、図示上では力Ｆ１〜Ｆ６の方向を上下方向としたが、側方向（紙面に交わる方向）に加わる力に対しても問題は同様である。
【０００９】
このように、光コネクタの基端部側の一部分が光トランシーバから外へ突き出しているために、光コネクタのぐらつきによる光結合変動（ウイグルという）の問題が生じる。これに対して、ぐらつきを規制しようとして光コネクタ挿入穴の径を小さくすると、光コネクタの挿抜が困難になったり、製造誤差や温度膨張を吸収するクリアランスをも失ってしまうことになるため、光コネクタ挿入穴の径を小さくするのは好適でない。また、ぐらつきは規制せず、光コネクタに生じたぐらつきに伴って光トランシーバも一緒にぐらつくようにして光結合を維持できるようにした例もあるが、その場合でもぐらつきの許容範囲には限界があるので、完全とは言えない。
【００１０】
そこで、本発明の目的は、上記課題を解決し、光コネクタのぐらつきを無くする光トランシーバ及び光トランシーバ保持機構を提供することにある。
【課題を解決するための手段】
【００１１】
上記目的を達成するために本発明の光トランシーバは、光コネクタを挿入するための光コネクタ挿入穴を有し、その光コネクタ挿入穴内に前記光コネクタの先端の光入出射部と光結合する光結合部を設けた光トランシーバにおいて、前記光コネクタ挿入穴の入り口から前記光結合部までの長さを前記光コネクタの全長以上に長く形成したものである。
【００１２】
前記光コネクタ挿入穴に並行させてガイド穴を形成し、このガイド穴に案内されてこのガイド穴から引き出し／収納可能な引き出し部材を設け、この引き出し部材に前記光コネクタの少なくとも一部に係合する係合部を形成し、前記ガイド穴内へ案内されていく前記引き出し部材に随伴して前記光コネクタが前記光コネクタ挿入穴内へ挿入されるようにしてもよい。
【００１３】
前記光コネクタには、前記引き出し部材へ向かって隆起し前記光コネクタの後端方向に臨む受圧面を有する隆起部を形成し、前記引き出し部材には、前記係合部として前記受圧面に対向する係合面を形成してもよい。
【００１４】
前記隆起部を隆起の高さの方向に弾性を有する部材で構成すると共にこの隆起部に側方へ拡幅された肩部を形成し、前記光コネクタ挿入穴には、前記肩部に干渉して前記隆起部を隆起の高さが低くなる方向に変形させる圧縮壁を設けると共にこの圧縮壁の一部に前記肩部を解放して前記隆起部の変形を復元させる壁穴を形成し、前記引き出し部材には、前記隆起部に対して前記光コネクタの前端側から傾斜して臨み、前記引き出し部材が引き出されるときに前記隆起部を隆起の高さが低くなる方向に変形させる傾斜押圧面を形成してもよい。
【００１５】
前記引き出し部材を前記ガイド穴から抜き取り可能に構成してもよい。
【００１６】
また、本発明のトランシーバ保持機構は、通信機器に窓を設け、前記通信機器内には前記窓から差し込まれた光トランシーバを収容するためのケージを設け、前記光トランシーバには光コネクタを挿入するようにした光トランシーバ保持機構において、前記ケージの奥行きを前記光トランシーバの先端から前記光コネクタの基端部までの距離よりも所定値以上に長く形成したものである。
【００１７】
前記ケージに並行させてガイドを設け、このガイドに沿って前記窓の内外へ引き出し／収納可能なケージ内引き出し部材を設け、前記光コネクタに前記光トランシーバより前記ガイドに向けて隆起し前記光コネクタの後端方向に臨む受圧面を有する隆起部を形成し、前記ケージ内引き出し部材には前記受圧面に対向する係合面を形成し、予め前記光トランシーバに挿入された前記光コネクタを前記引き出し部材で前記ケージ内に押し込むことにより、前記光トランシーバが前記ケージの奥まで案内されるようにしてもよい。
【００１８】
前記ケージには前記光トランシーバが前記ケージの奥まで挿入されたとき前記光トランシーバをラッチする機構を設けると共に、前記光トランシーバの基端部には、該ラッチ機構を解除するためのボタンを設け、前記ケージの入口の外からデラッチ用レバーで前記ボタンを操作するようにしてもよい。
【発明の効果】
【００１９】
本発明は次の如き優れた効果を発揮する。
【００２０】
（１）光コネクタのぐらつきが無くなる。
【発明を実施するための最良の形態】
【００２１】
以下、本発明の一実施形態を添付図面に基づいて詳述する。
【００２２】
本発明の主眼は、剛体である光コネクタの基端部側の部分が光トランシーバから外へ突き出さない、あるいは通信機器の窓から外へ突き出さないようになすことにあり、光コネクタが先端部から基端部まで全て光トランシーバ内にあるいは通信機器内に収容され、光コネクタ挿入穴の入り口から、あるいは窓からは、可撓性の高い光ファイバが垂れるように出ていることで、光コネクタのぐらつきの原因である力が加わらなくなる。これにより、光コネクタのぐらつきが無くなる。
【００２３】
このための構成は、２種類あり、１つは光トランシーバにおいて光コネクタ挿入穴の奥行きを従来より大きくしたものであり、他の１つは通信機器においてケージの奥行きを従来より大きくしたものである。いずれの場合も光コネクタを入り口あるいは窓より奥に送り込み、かつ引き出すことを容易にするための構成を付加するのが好ましい。以下、それぞれの実施形態を説明する。
【００２４】
図１に示されるように、本発明に係る光トランシーバ２０１は、光コネクタ１０１を挿入するための光コネクタ挿入穴２０２を有し、その光コネクタ挿入穴２０２内に光コネクタ１０１の先端の光入出射部１０２と光結合する光結合部２０３を設けた光トランシーバ２０１において、光コネクタ挿入穴２０２の入り口２０４から光結合部２０３までの長さ（以下、光コネクタ挿入穴２０２の奥行きという）を光コネクタ１０１の全長以上に長く形成したものである。
【００２５】
光コネクタ挿入穴２０２の奥行きは、光コネクタ１０１の全長と等しければ発明の目的が達成されるが、ここでは光ファイバの曲げシロ等の余裕を考慮して、光コネクタ１０１の全長Ｌよりもｌａだけ長くした。図８に示した従来構成では、光コネクタ１０１の基端部側の部分が光トランシーバからｌｂだけ外へ突き出しているので光コネクタ挿入穴の奥行きはＬ−ｌｂであったが、図１の本発明では光コネクタ挿入穴２０２の奥行きはＬ＋ｌａである。
【００２６】
本発明に係る光トランシーバ２０１は、光コネクタ挿入穴２０２に並行させてガイド穴２０５を形成し、このガイド穴２０５に案内されてこのガイド穴２０５から引き出し／収納可能な引き出し部材２０６を設け、この引き出し部材２０６に光コネクタ１０１の少なくとも一部に係合する係合部２０７を形成し、ガイド穴２０５内へ案内されていく引き出し部材２０６に随伴して光コネクタ１０１が光コネクタ挿入穴２０２内へ挿入されるようにしてある。ガイド穴２０５は光トランシーバ２０１の上壁を従来より厚くし、その厚みの中に形成するとよい。引き出し部材２０６はガイド穴２０５に最も深く収納したときに、指で摘めるようにガイド穴２０５から少しはみ出しているのがよい。
【００２７】
係合部２０７が光コネクタ１０１のどの部分に係合するか、どのように係合するかは任意であるが、この実施形態では、光コネクタ１０１に隆起部を設け、その隆起部に係合部２０７が係合するようにしてある。さらに、この実施形態では、光コネクタ１０１には、引き出し部材２０６へ向かって（図示で言うと上方に）隆起し光コネクタ１０１の後端方向（図示左向き）に臨む受圧面１０３を有する隆起部１０４を形成し、引き出し部材２０６には、隆起部１０４に係合する係合部２０７として、受圧面１０３に対向する係合面２０８を形成してある。
【００２８】
隆起部１０４の構造は係合部２０７に係合できるものであれば任意であるが、この実施形態では、従来より光コネクタ１０１に装備されているラッチ／デラッチ用レバー（以下、レバーという）１０５をそのまま隆起部１０４に利用してある。
【００２９】
隆起部１０４としてのレバー１０５は、図２（ａ）に示されるように、隆起の高さの方向（図示上下方向）に弾性を有する部材で構成されている。具体的には、光コネクタ１０１の上面にヒンジ１０６を光コネクタ１０１と一体的に形成し、そのヒンジ１０６の一端を後端方向に傾斜させて伸ばすことでレバー１０５が構成されている。つまり、レバー１０５は、ヒンジ１０６が持つバネ性により、高さの方向に弾性を有する。レバー１０５には、側方へ拡幅された肩部１０７が形成されている。肩部１０７は、レバー１０５の最も高い位置に形成されている受圧面１０３とヒンジ１０６との中間にあり、側方向（紙面に直交する方向）には受圧面１０３よりも幅が広くなっている。光コネクタ挿入穴２０２には、肩部１０７に干渉してレバー１０５を隆起の高さが低くなる方向に変形させる圧縮壁２０９が設けられ、さらに圧縮壁２０９の一部に肩部１０７を解放してレバー１０５の変形を復元させる壁穴２１０が形成されている。
【００３０】
ここで、図２（ｂ）のレバー１０５に注目すると、肩部１０７が圧縮壁２０９に圧縮されてレバー１０５が低い姿勢になっていることが分かる。光コネクタ１０１が光コネクタ挿入穴２０２に挿入され、肩部１０７が圧縮壁２０９に差し掛かると、レバー１０５が圧縮されることになる。光コネクタ１０１が光コネクタ挿入穴２０２の奥にまで挿入されたとき、肩部１０７が壁穴２１０に嵌り込んでレバー１０５が起きあがり、図２（ａ）の状態となる。その後はレバー１０５が圧縮されない限り、光コネクタ１０１を入り口２０４の方へ抜くことはできない。つまりラッチの状態となる。
【００３１】
引き出し部材２０６には、レバー１０５に対して光コネクタ１０１の前端側（図示右側）から傾斜して臨み、引き出し部材２０６が引き出されるときにレバー１０５を隆起の高さが低くなる方向に変形させる傾斜押圧面２１１が形成されている。従って、引き出し部材２０６には、係合面２０８と傾斜押圧面２１１とに挟まれた窪み状の部分が形成される。傾斜押圧面２１１は、レバー１０５の受圧面１０３の裏側の部分に当たってレバー１０５を圧縮するようになっている。この部分は従来はオペレータが指で下向きに押すようになっている部分である。本発明では、引き出し部材２０６を引き出して傾斜押圧面２１１をレバー１０５に乗り上げさせることでレバー１０５を押下する。レバー１０５が圧縮されると肩部１０７が壁穴２１０から外れて光コネクタ１０１を抜くことが可能になる。つまりデラッチの状態となる。
【００３２】
図１の光トランシーバ２０１に光コネクタ１０１を挿入する様子を説明すると、まず、図３に示されるように、引き出し部材２０６をガイド穴２０５から引き出して係合部２０７のある窪み状の部分が光トランシーバ２０１の外に出ているようにする。光コネクタ１０１の先端を光コネクタ挿入穴２０２の入り口２０４にあてがい、レバー１０５を係合部２０７に係合させる。これにより、レバー１０５の受圧面１０３に引き出し部材２０６の係合面２０８が当たる。そこで、引き出し部材２０６をガイド穴２０５に押し込んでいくと、光コネクタ１０１も一緒に光コネクタ挿入穴２０２に挿入されていく。レバー１０５が入り口２０４から奥に入り、肩部１０７が圧縮壁２０９に至ると、肩部１０７が圧縮壁２０９に圧縮されてレバー１０５が低い姿勢になるが、受圧面１０３が係合面２０８から外れることはないので、継続して引き出し部材２０６をガイド穴２０５に押し込めば光コネクタ１０１も光コネクタ挿入穴２０２に押し込まれる。肩部１０７が壁穴２１０に差し掛かると、前述したラッチの状態となる。このラッチの状態は、従来より、光コネクタ１０１の先端の光入出射部１０２が光結合部２０３に届いて光結合が達成されたときの光コネクタ１０１の位置において生じるようになっている。従って、引き出し部材２０６をガイド穴２０５に押し込んでいくだけで、ラッチ及び光結合が達成されることになる。
【００３３】
このとき、図１に示されるように、光コネクタ１０１が先端部から基端部まで全て光トランシーバ２０１内に収容され、光コネクタ挿入穴２０２の入り口２０４からは可撓性の高い光ファイバ６０１が垂れるように出ている状態となる。よって、光コネクタ１０１には、ぐらつきの原因である力が加わらなくなる。図４は、図１の状態を斜視図で表したものである（引き出し部材２０６は省略して示す）。この外観から明らかなように、光トランシーバ２０１内に完全に入り込んでいる光コネクタには、不慮の事故によっても力がかからない。
【００３４】
図１、図２（ａ）及び図２（ｂ）に示されるように、光コネクタ１０１を抜き取りたいときには、引き出し部材２０６をガイド穴２０５から引き出していく。引き出し部材２０６が引き出されるとき、傾斜押圧面２１１がレバー１０５を圧縮すると肩部１０７が壁穴２１０から外れて前述したデラッチの状態となる。デラッチの状態では光コネクタ１０１を保持するものはなにもないので、入り口２０４の外より引き出し部材２０６と共に光ファイバ６０１を軽く引き出すだけで、光コネクタ１０１を抜き取ることができる。
【００３５】
なお、引き出し部材２０６はガイド穴２０５から全長が抜け出せないようにストッパを付けておくのもよいし、抜き出して光トランシーバから分離できるようにしてもよい。引き出し部材２０６を取り去った状態では、光コネクタ１０１を挿入することはできないから、引き出し部材２０６を保有しているオペレータのみが光コネクタ１０１を挿入できることになり、無資格者が光コネクタ１０１を挿入することが防止される。
【００３６】
次に、図５に示されるように、本発明に係るトランシーバ保持機構は、通信機器４０１の表面パネル４０２に窓４０３を設け、通信機器４０１内には基板４０４に実装されて窓４０３から差し込まれた光トランシーバ３０１を収容するためのケージ４０５を設け、前光トランシーバ３０１には光コネクタ１０１を挿入するようにした光トランシーバ保持機構において、ケージ４０５の奥行きＤを光トランシーバ３０１の先端から光コネクタ１０１の基端部までの距離ｄよりも所定値以上に長く形成したものである。なお、図示しないが光トランシーバ３０１の先端には電気的接続用の接続端子（挿入側）が有り、ケージ４０５の奥部に電気的接続用の接続端子（受け側）が有って、両接続端子が互いに嵌り合うようになっている。この嵌合がなされたときの光トランシーバ３０１の先端位置をケージ４０５の奥行きＤの最も奥とする。
【００３７】
この実施形態では、光コネクタ１０１は従来からある構成のものである。また、光トランシーバ３０１も、従来からあるボタンラッチ式（詳細は後述）のものである。
【００３８】
ケージ４０５には、ケージ４０５に並行させてガイド４０６が設けられている。ケージ４０５は不要輻射防止の目的で金属板で構成されているが、ガイド４０６は金属に限らなくて良い。このガイド４０６に沿って窓４０３の内外へ引き出し／収納可能なケージ内引き出し部材４０７が設けられている。光コネクタ１０１には光トランシーバ３０１よりガイド４０６に向けて隆起し光コネクタ１０１の後端方向に臨む受圧面１０３を有する隆起部１０４が形成されている。この隆起部１０４は従来より光コネクタ１０１に装備されているラッチ／デラッチ用のレバー１０５をそのまま利用したものである。ケージ内引き出し部材４０７には図２の形態で説明した係合面２０８と同様な、受圧面１０３に対向する係合面４０８が形成されている。
【００３９】
図５の光トランシーバ３０１及び光コネクタ１０１を通信機器４０１に挿入する様子を説明すると、まず、図６に示されるように、予め光コネクタ１０１を光トランシーバ３０１に挿入しておく。光トランシーバ３０１も光コネクタ１０１も従来の構成であるから、光コネクタ１０１は光トランシーバ３０１から一部が突き出した状態で光トランシーバ３０１にラッチされる。ケージ内引き出し部材４０７はガイド４０６から引き出して係合面４０８の部分が通信機器４０１の外に出ているようにする。光トランシーバ３０１の先端を通信機器４０１の窓４０３に位置させつつ、レバー１０５の受圧面１０３にケージ内引き出し部材４０７の係合面４０８に当てる。ケージ内引き出し部材４０７をガイド４０６に押し込んでいくと、光コネクタ１０１も光トランシーバ３０１も一緒に通信機器４０１内のケージ４０５に挿入されていく。このようにして光トランシーバ３０１がケージ４０５の奥行きＤの最も奥まで案内され、電気的接続用の接続端子が嵌め合わされる。
【００４０】
このとき、光コネクタ１０１が基端部まで全て通信機器４０１に収容され、窓４０３からは可撓性の高い光ファイバが垂れるように出ている状態となる。よって、光コネクタ１０１には、ぐらつきの原因である力が加わらなくなる。
【００４１】
次に、図５の状態から光トランシーバ３０１と光コネクタ１０１を抜くときの動作を説明する。
【００４２】
まず、前提としてボタンラッチ式の光トランシーバのラッチ・デラッチ機構を説明しておく。図１２にボタンラッチ式の光トランシーバの外観を示す。この光トランシーバ３０１の基端部には、光コネクタ挿入穴３０２の入口３０４の下にボタン１２０１が設けられている。
【００４３】
図１３に示されるように、ボタン１２０１は光トランシーバ３０１の先端方向に向かって適宜な長さ延びている。ボタン１２０１は光トランシーバ３０１の先端方向に向かってスライドさせることができる。一方、光トランシーバ３０１の下面には下方に向かって突き出たラッチ用突起１２０２が設けられている。このラッチ用突起１２０２は図示しないケージ下面の突起受け穴に嵌るようになっている。その突起受け穴は、ケージを構成する金属板の一部を切り込んで板バネを形成し、その板バネ（図示せず）内に設けられる。
【００４４】
図１４のようにボタン１２０１の先端がテーパ状になっていて、ボタン１２０１がスライドするとそのテーパ状の先端で板バネを起こす。板バネが起きるとラッチ用突起１２０２が突起受け穴から抜けるようになっている。
【００４５】
このように、ボタン１２０１を押し込めばラッチが外れて光トランシーバ３０１がケージから取り出せるという従来技術がある。
【００４６】
さらに図１５（ａ）に示されるように、従来技術のケージ５０１の奥には電気接続用の接続端子（被挿入側）１５０１が収容されていると共に、最奥部壁に板バネ１５０２が取り付けられている。図１５（ｂ）に示されるように、板バネ１５０２は光トランシーバ挿入口１５０３に向かって起きた自由端を有する。
【００４７】
図１６（ａ）に示されるように、ケージ５０１に光トランシーバ３０１を挿入して光トランシーバ３０１の接続端子１６０３をケージ５０１の接続端子１５０１に確実に接触させたとき、板バネ１５０２は付勢される。しかし、同時にラッチ用突起１２０２が突起受け穴１６０１に嵌るので、光トランシーバ３０１はラッチされる。
【００４８】
ここで、ボタン１２０１が表面パネル４０２より外に出ているので、ボタン１２０１を指でスライドさせることができる。ボタン１２０１がスライドするとボタン１２０１の先端が板バネ１６０２をこじあけてラッチ用突起１２０２が突起受け穴１６０１から抜ける。その際、板バネ１５０２が光トランシーバ３０１を押し返し、図１６（ｂ）の状態となる。この状態では、ボタン１２０１をスライドさせる力をなくしても、図１６（ａ）の状態に戻ることはない。その後は、図１６（ｃ）のように光ファイバ６０１あるいは光コネクタ１０１あるいは光トランシーバ３０１を引けば光トランシーバ３０１はケージ５０１から抜け出る。
【００４９】
以上を踏まえて、図５の状態における本発明のケージの奥部（光トランシーバの先端部）とラッチ・デラッチ機構とを図５に書き加えたのが図１７である。
【００５０】
図１７に示されるように、本発明に係るトランシーバ保持機構は、ケージ４０５の奥行きを光トランシーバ３０１の先端から光コネクタ１０１の基端部までの距離よりも所定値以上に長く形成したものである。ケージ４０５の入口は表面パネル４０２の窓４０３近傍に開口しているが、ケージ４０５の奥部は図１６のケージ５０１のときより深い位置にある。光トランシーバ３０１の先端には電気的接続用の接続端子（挿入側）１６０３が有り、ケージ４０５の奥部に電気的接続用の接続端子（受け側）１５０１が有って、両接続端子が互いに嵌り合うようになっている。この状態で板バネ１５０２は付勢されている。また、ラッチ用突起１２０２が突起受け穴１６０１に嵌っている。さらに、光コネクタ１０１に装備されているラッチ／デラッチ用レバー１７０１は、図２（ａ）の状態と同じラッチ状態になっているままケージ内引き出し部材４０７がガイド４０６に押し込まれている。
【００５１】
図１７の状態では、光トランシーバ３０１がケージ４０５にラッチされている。これを解除するにはボタン１２０１を押し込まなければならない。しかし、図１６で見た従来のケージ構造とは異なり、ケージ４０５の奥行きが大きいために、ボタン１２０１は表面パネル４０２より内部に位置している。そこで、図１８に示されるように、本発明ではケージ４０５の下部にデラッチ用レール１８０１を設けてある。デラッチ用レール１８０１は光トランシーバ３０１の底面を支えかつスライドさせるリブ１８０２をボタン１２０１の両サイドに設け、両リブ１８０２間を溝１８０３としたものである。この溝１８０３に後述するデラッチ用レバーを挿入することになる。
【００５２】
図１９（ａ）に示されるように、デラッチ用レバー１９０１は、上述の溝１８０３に挿入される適宜な長さの棒または板である。このデラッチ用レバー１９０１を差し込んでいくと、図１９（ｂ）のようにデラッチ用レバー１９０１がボタン１２０１に届き、さらに押し込むとケージ４０５のラッチが外れる。これは図１６（ｂ）で説明したとおりである。
【００５３】
その後、デラッチ用レバー１９０１を押し込む力をなくすると、板バネ１５０２が光トランシーバ３０１を押し返し、図１９（ｃ）の状態となる。光トランシーバ３０１が押し返されたことにより、光トランシーバ３０１と一体になっている光コネクタ１０１及びケージ内引き出し部材４０７も同じだけ押し返される。この状態になればデラッチ用レバー１９０１は不要となるので、抜き去る。
【００５４】
次いで、図２０では、ケージ内引き出し部材４０７あるいは光ファイバ６０１を引き抜けば、これと一体になっている光コネクタ１０１及び光トランシーバ３０１を引き抜くことができる。
【００５５】
次に、本発明の光トランシーバにおいてラッチ用部材とデラッチ用部材とを用いる形態を説明する。
【００５６】
図１０に示されるように、デラッチ用部材１００１は、光トランシーバ２０１とは別に形成され、光トランシーバ２０１のガイド穴２０５に案内されてこのガイド穴２０５に挿入可能な板状の部材であり、少なくともその先端に下向きの傾斜面１００２が形成されているものである。他の部材は図１と同じなので説明は省略する。
【００５７】
デラッチ用部材１００１をガイド穴２０５に差し込んでいくと、傾斜面１００２が隆起部１０４の頂部１１１に当たり、頂部１１１は下向きに押さえられる。これにより、図２で既に説明したように肩部１０７が壁穴２１０から外れてデラッチの状態となる。その後は、光ファイバ６０１を軽く引けば光コネクタ１０１を抜き取ることができる。
【００５８】
デラッチ用部材１００１は、使用しないときはオペレータが管理しておくとよく、デラッチ用部材１００１を持たない無資格者が光コネクタ１０１を取り去ることが防止される。
【００５９】
図１１に示されるように、ラッチ用部材１００３は、光トランシーバ２０１とは別に形成され、光トランシーバ２０１のガイド穴２０５に案内されてこのガイド穴２０５に挿入可能な板状の部材であり、少なくともその先端に受圧面１０３に対向する対向面１００４が形成されているものである。他の部材は図１と同じなので説明は省略する。
【００６０】
光コネクタ１０１を光コネクタ挿入穴２０２に挿入するとき、一緒にラッチ用部材１００３をガイド穴２０５に差し込んでいく。光コネクタ１０１を単独で差し込もうとしても、ある程度奥に入ると光コネクタ１０１に対して押す力を加えられないが、ラッチ用部材１００３を添えた場合は、対向面１００４が受圧面１０３を押すので、光コネクタ１０１を奥へ進めることができる。そして、図２で既に説明したように肩部１０７が圧縮壁２０９に圧縮されてレバー１０５が低い姿勢になるが、受圧面１０３が対向面１００４（図２の係合面２０８に相当）から外れることはないので、継続してラッチ用部材１００３をガイド穴２０５に押し込めば光コネクタ１０１も光コネクタ挿入穴２０２に押し込まれ、ラッチが達成される。
【００６１】
ラッチ用部材１００３は、使用しないときはオペレータが管理しておくとよく、ラッチ用部材１００３を持たない無資格者が光コネクタ１０１を挿入することが防止される。
【図面の簡単な説明】
【００６２】
【図１】本発明の一実施形態を示す光トランシーバの側断面図である。
【図２】図１の光トランシーバの要部拡大図であり、（ａ）はラッチ時、（ｂ）はデラッチ時を表している。
【図３】図１の光トランシーバの引き出し時の側断面図である。
【図４】図１の光トランシーバの外観斜視図である。
【図５】本発明の一実施形態を示す光トランシーバ保持機構の側断面図である。
【図６】図５の光トランシーバ保持機構の引き出し時の側断面図である。
【図７】従来の光トランシーバの外観斜視図であり、（ａ）は光コネクタ挿入時、（ｂ）は光コネクタ非挿入時を表している。
【図８】従来の光トランシーバの側断面図である。
【図９】従来の光トランシーバの側断面図である。
【図１０】本発明の一実施形態を示す光トランシーバ保持機構の側断面図である。
【図１１】図１０の光トランシーバ保持機構の引き出し時の側断面図である。
【図１２】図５の光トランシーバ保持機構に用いるボタンラッチ式の光トランシーバの斜視図である。
【図１３】図１２の光トランシーバの側面図である。
【図１４】図１２の光トランシーバのボタン押し込み時の側面図である。
【図１５】（ａ）は従来のケージの側断面図、（ｂ）は従来のケージの平断面図である。
【図１６】（ａ）、（ｂ）、（ｃ）は、図１２の光トランシーバを従来のケージに挿抜するときの異なるタイミングにおける側断面図である。
【図１７】図５の光トランシーバ保持機構の詳細側断面図である。
【図１８】図１７の光トランシーバ保持機構のケージ入口部分の透視斜視図である。
【図１９】（ａ）、（ｂ）、（ｃ）は、図１７の光トランシーバ保持機構で光トランシーバを抜くときの異なるタイミングにおける側断面図である。
【図２０】図１７の光トランシーバ保持機構で図１９（ｃ）の後のタイミングにおける側断面図である。
【符号の説明】
【００６３】
１０１  光コネクタ
１０２  光入出射部
１０３  受圧面
１０４  隆起部
１０５  レバー
２０１  光トランシーバ
２０２  光コネクタ挿入穴
２０３  光結合部
２０４  入り口
２０５  ガイド穴
２０６  引き出し部材
２０７  係合部
２０８  係合面
２０９  圧縮壁
２１０  壁穴
２１１  傾斜押圧面
４０５  ケージ
４０６  ガイド
４０７  ケージ内引き出し部材
【図１】
2006047919.tif 000003
【図２】
2006047919.tif 000004
【図３】
2006047919.tif 000005
【図４】
2006047919.tif 000006
【図５】
2006047919.tif 000007
【図６】
2006047919.tif 000008
【図７】
2006047919.tif 000009
【図８】
2006047919.tif 000010
【図９】
2006047919.tif 000011
【図１０】
2006047919.tif 000012
【図１１】
2006047919.tif 000013
【図１２】
2006047919.tif 000014
【図１３】
2006047919.tif 000015
【図１４】
2006047919.tif 000016
【図１５】
2006047919.tif 000017
【図１６】
2006047919.tif 000018
【図１７】
2006047919.tif 000019
【図１８】
2006047919.tif 000020
【図１９】
2006047919.tif 000021
【図２０】
2006047919.tif 000022